(57)【要約】【課題】  多層構造の場合における試し書き領域の重なりによる不具合を解消する。【解決手段】  スパイラル状のトラック上に試し書き領域を各々有する多層構造の光記録媒体２の場合、記録層が重なっているため、照射光の入射側から遠い方の記録層は近い方の記録層の記録状態の影響を少なからず受けるが、試し書き領域３１ａ，３１ｂが、複数の記録層毎にシフトして配置されているので、例えば、照射光の入射側から遠い方の記録層の試し書き領域３１ｂの対象となる小領域へのアクセスを他方の記録層の影響を極力受けないようにすることができる。【選択図】    図７
2004327038.tif 000002
【特許請求の範囲】
【請求項１】
スパイラル状のトラック上に試し書き領域を各々有する複数の記録層を持つ光記録媒体であって、
前記試し書き領域が、複数の前記記録層毎にシフトして配置されていることを特徴とする光記録媒体。
【請求項２】
パラレルトラックパス（ＰＴＰ）方式で記録される光記録媒体であって、複数の前記記録層のうち、照射光の入射側に近い記録層側の試し書き領域が照射光の入射側から遠い記録層側の試し書き領域よりも媒体内周側に位置するようにこれらの試し書き領域がシフトして配置されていることを特徴とする請求項１記載の光記録媒体。
【請求項３】
オポジットトラックパス（ＯＴＰ）方式で記録される光記録媒体であって、複数の前記記録層のうち、照射光の入射側に近い記録層側の試し書き領域が照射光の入射側から遠い記録層側の試し書き領域よりも媒体外周側に位置するようにこれらの試し書き領域がシフトして配置されていることを特徴とする請求項１記載の光記録媒体。
【請求項４】
スパイラル方向に関する情報がプリフォーマットされていることを特徴とする請求項１ないし３の何れか一記載の光記録媒体。
【請求項５】
スパイラル方向に関する情報として、各記録層毎にスパイラル方向を記述した情報がプリフォーマットされていることを特徴とする請求項４記載の光記録媒体。
【請求項６】
スパイラル方向に関する情報として、当該光記録媒体の種類に関する情報、及び、各記録層の層情報がプリフォーマットされていることを特徴とする請求項４記載の光記録媒体。
【請求項７】
当該光記録媒体の種類に関する情報が、パラレルトラックパス（ＰＴＰ）方式の媒体であるか、オポジットトラックパス（ＯＴＰ）方式の媒体であるかに関する情報であることを特徴とする請求項６記載の光記録媒体。
【請求項８】
スパイラル方向に関する情報が、リードイン領域中にプリフォーマットされていることを特徴とする請求項４ないし７の何れか一記載の光記録媒体。
【発明の詳細な説明】
【技術分野】
【０００１】
本発明は、複数の記録層を持つ記録可能な光記録媒体に関する。
【背景技術】
【０００２】
現在、光記録媒体としては、各種のものがあるが、記録可能な光記録媒体に関しては、その記録時のパワーの最適値が、周辺温度や媒体の種類、線速などにより変化するため、一般に、色素メディア（追記型）や相変化メディア（書換え型）では、情報を実際に記録する前に、ＯＰＣ（Optimum Power Control）と呼ばれる試し書きによる記録パワーの最適化が行われる。ＯＰＣは、記録メディアのＰＣＡ（Power Calibration Area）と呼ばれる所定の試し書き領域に所定の情報を試し書きし、それを再生することにより行われる。
【０００３】
ところで、光記録媒体に関しては、その大容量化がさらに進み、例えば、今まで単層の記録層構造の光記録媒体から、例えば２層構造を持つ光記録媒体へと記録層の多層化が進み、光記録媒体の構造がより複雑化してきている（例えば、特許文献１参照）。
【０００４】
しかし、記録層が２層構造のように多層構造になれば、今までよりも記録容量の増大が見込め、大容量化を目指している光記録媒体において非常に有用である。
【０００５】
このような２層構造の光記録媒体を含めて、記録層が多層化した光記録媒体において、情報の記録として追記若しくは書換えを行なう場合について、単層の光記録媒体で行っていた様々な記録時の設定を、多層構造を持つ光記録媒体でも行わなくてはならない。その設定の一つに情報の記録を行うレーザ出力の最適記録パワー値を求めるＯＰＣ処理が挙げられる。
【０００６】
【特許文献１】特開２０００−３１１３４６公報
【発明の開示】
【発明が解決しようとする課題】
【０００７】
しかしながら、多層構造を持つ光記録媒体では、単層構造の光記録媒体と比較して異なる仕様等があるため、最適記録パワーを求めるＯＰＣ処理に関しても、単純に単層構造の場合の従来のＯＰＣ処理をそのまま適用することが適正でないケースもある。
【０００８】
この点について、例えば片面２層構造のＤＶＤ＋ＲＷを想定して説明する。まず、現在よく知られている多層メディアには、片面２層構造のＤＶＤ−ＲＯＭが挙げられる。片面２層構造のＤＶＤ−ＲＯＭとしては、そのトラック方式により、パラレルトラックパス方式（Paralel Track Path＝ＰＴＰ方式）とオポジットトラックパス方式（Opposite track Path＝ＯＴＰ方式）との２種類に大別される。
【０００９】
まず、図１０（ａ）にＰＴＰ方式の片面２層（Dual Layer）のディスク(以下、「ＰＴＰディスク」という)、図１０（ｂ）はＯＴＰ方式の片面２層のディスク(以下、「ＯＴＰディスク」という)の場合の物理アドレスのレイアウトを各々示す。
【００１０】
ＤＶＤディスクは、基本的に、リードイン領域（Lead-in Area）、データ領域（Data Area）、リードアウト領域（Lead-out Area）からなるインフォメーション領域（Information Area）を有し、ＰＴＰディスクの場合は記録層毎にインフォメーション領域を有する。ＯＴＰディスクは１つのインフォメーション領域からなり、各記録層のデータ領域の後方に中間領域（Middle Area）を有する。ＰＴＰディスクのレイヤー０，１及びＯＴＰディスクのレイヤー０は内周から外周に向けてデータの再生が行われ、ＯＴＰディスクのレイヤー１は外周から内周に向けてデータの再生が行われる。ＰＴＰディスクの各記録層はリードイン領域からリードアウト領域まで連続した物理アドレス（Physical Sector Number）が割り振られる。一方、ＯＴＰディスクの場合は、リードイン領域からレイヤー０の中間領域まで連続した物理アドレスが割り振られるが、レイヤー１の物理アドレスはレイヤー０の物理アドレスをビット反転したアドレスが割り振られ、中間領域からリードアウト領域まで物理アドレスが増加していく。つまり、レイヤー１におけるデータ領域の開始アドレスはレイヤー０における終了アドレスをビット反転したアドレスとなる。
【００１１】
また、これらのＰＴＰディスクやＯＴＰディスクのレイヤー０，１におけるトラックのスパイラル方向を考える。ＰＴＰディスクにあっては、図１１（ａ）に示すように何れのレイヤー０，１もスパイラル方向はディスク内周側からディスク外周側に向かう（トラッキングしたまま放っておくと光ピックアップが内側から外側に移動する)方向とされる。一方、ＯＴＰディスクにあっては、図１１（ｂ）に示すようにレイヤー０のスパイラル方向はディスク内周側からディスク外周側に向かう方向とされるが、レイヤー１のスパイラル方向はディスク内周側からディスク外周側に向かう方向とされる。
【００１２】
多層構造を持つ記録メディアの場合も、これらと同様に、ＰＴＰ方式又はＯＴＰ方式のフォーマットを持つことが考えられる。そこで、例えば現在の片面２層構造のＤＶＤ−ＲＯＭと同様のトラック、アドレス構成の片面２層構造のＤＶＤ＋ＲＷ（ＯＴＰ方式）を想定し、その記録動作としてレイヤー１（第２の記録層）に記録する場合について考えてみる。
【００１３】
この場合、図１２に示すように、レイヤー１（第２の記録層）に配置されている試し書き領域（ＰＣＡ領域）でＯＰＣ動作を行うときにレイヤー１（第２の記録層）のトラックのスパイラル方向は外周側から内周側に向かう方向とされている。ここに、ＰＣＡ領域は一般にテスト領域とカウント領域とからなり、試し書きを行うテスト領域は例えば１００個のパーティション（小領域）に分割して設定され、かつ、各パーティションは１５個のフレームにより構成されている。そして、１回のＯＰＣ動作ではパーティションの１つを使用し（パーティション単位）、そのパーティションに含まれる１５個のフレームで発光パワーを多段階に変化させて試し書き（テスト記録）を行い、その試し書きされたパーティション部分を再生し、その再生信号ＲＦの結果に基づき最適記録パワーを求める。
【００１４】
このようなＯＰＣ動作において、レイヤー１（第２の記録層）のＰＣＡ領域のパーティションを図１２（ｂ）に示すように外周側から内周側に向けて順に使用した場合、試し書き部分から得られる再生ＲＦ信号が図１２（ｃ）に概略的に示すような波形となるような試し書きが行われることになる。即ち、最適記録パワーを十分カバーすると思われるレーザパワーの最小値から最大値までのＬＤパワーで記録される。そして、その試し書きされたパーティション部分を再生してその記録品質から最適記録パワーが決定される。
【００１５】
一方、ターゲットアドレスに記録を行ったり、ターゲットアドレスの再生を行ったりする場合は、そのターゲットアドレスより少し手前のアドレスでシーク完了し（シーク完了ポイント）、その後、トラッキングしながらターゲットアドレスまでターゲット待ちを行い、ターゲットアドレスが来たところで記録又は再生を開始させるのが一般的な制御である（図１２（ｄ）参照）。ＯＰＣ動作によりＰＣＡ領域の１つのパーティションに試し書きを行い、その試し書き結果を確認するので、一連のＯＰＣ動作においては、このターゲットアドレスへの記録と再生が最低でも1回ずつ行なわれることになる。
【００１６】
しかし、ＯＰＣ動作による試し書きにより記録された部分（図１２（ｂ）の「使用済」部分や、図１２（ｃ）の丸付き数字１，２，３部分）は、前述した通り、最適記録パワーを十分カバーすると思われるレーザパワーの最小値から最大値までのＬＤパワーを振って試し書きが行なわれるので、強すぎる記録パワーで記録されている部分も存在し、その部分のメディアの記録状態はいわゆる書け過ぎ状態になっており、極端に低反射になっている可能性がある。このような部分では通常の最適記録パワーで記録された部分と比較すると、サーボが不安定になったり、アドレスリードが不安定になったりする可能性が大きくなる。
【００１７】
従って、このような試し書き領域へシークする場合、シーク自体が不安定になる可能性が高く、結果として、ＯＰＣ動作が不安定になってしまう可能性がある。
【００１８】
また、多層構造の場合、記録層が重なっていることにより、ＰＣＡ領域の重なりによる不具合も少なからず生じ得る。
【００１９】
本発明の目的は、多層構造の場合における試し書き領域の重なりによる不具合を解消することである。
【課題を解決するための手段】
【００２０】
請求項１記載の発明の光記録媒体は、スパイラル状のトラック上に試し書き領域を各々有する複数の記録層を持つ光記録媒体であって、前記試し書き領域が、複数の前記記録層毎にシフトして配置されている。
【００２１】
請求項２記載の発明は、請求項１記載の光記録媒体において、パラレルトラックパス（ＰＴＰ）方式で記録される光記録媒体であって、複数の前記記録層のうち、照射光の入射側に近い記録層側の試し書き領域が照射光の入射側から遠い記録層側の試し書き領域よりも媒体内周側に位置するようにこれらの試し書き領域がシフトして配置されている。
【００２２】
請求項３記載の発明は、請求項１記載の光記録媒体において、オポジットトラックパス（ＯＴＰ）方式で記録される光記録媒体であって、複数の前記記録層のうち、照射光の入射側に近い記録層側の試し書き領域が照射光の入射側から遠い記録層側の試し書き領域よりも媒体外周側に位置するようにこれらの試し書き領域がシフトして配置されている。
【００２３】
請求項４記載の発明は、請求項１ないし３の何れか一記載の光記録媒体において、スパイラル方向に関する情報がプリフォーマットされている。
【００２４】
請求項５記載の発明は、請求項４記載の光記録媒体において、スパイラル方向に関する情報として、各記録層毎にスパイラル方向を記述した情報がプリフォーマットされている。
【００２５】
請求項６記載の発明は、請求項４記載の光記録媒体において、スパイラル方向に関する情報として、当該光記録媒体の種類に関する情報、及び、各記録層の層情報がプリフォーマットされている。
【００２６】
請求項７記載の発明は、請求項６記載の光記録媒体において、当該光記録媒体の種類に関する情報が、パラレルトラックパス（ＰＴＰ）方式の媒体であるか、オポジットトラックパス（ＯＴＰ）方式の媒体であるかに関する情報である。
【００２７】
請求項８記載の発明は、請求項４ないし７の何れか一記載の光記録媒体において、スパイラル方向に関する情報が、リードイン領域中にプリフォーマットされている。
【発明の効果】
【００２８】
請求項１記載の発明によれば、多層構造の光記録媒体の場合、記録層が重なっているため、照射光の入射側から遠い方の記録層は近い方の記録層の記録状態の影響を少なからず受けるが、複数の記録層毎に試し書き領域がシフトして配置されているので、例えば、照射光の入射側から遠い方の記録層の試し書き領域の対象となる小領域へのアクセスを他方の記録層の影響を極力受けないようにすることができる。
【００２９】
請求項２記載の発明によれば、多層構造の光記録媒体の場合、記録層が重なっているため、照射光の入射側から遠い方の記録層は近い方の記録層の記録状態の影響を少なからず受けるが、ＰＴＰ方式の媒体の場合、各々の記録層の試し書き領域の小領域を外周側から内周側に向けて順に選択する点に着目し、照射光の入射側に近い記録層側の試し書き領域が照射光の入射側から遠い記録層側の試し書き領域よりも媒体内周側に位置するようにこれらの試し書き領域をシフトして配置させることにより、照射光の入射側から遠い方の記録層の試し書き領域の対象となる小領域へのアクセスを他方の記録層の影響を極力受けないようにすることができる。
【００３０】
請求項３記載の発明によれば、多層構造の光記録媒体の場合、記録層が重なっているため、照射光の入射側から遠い方の記録層は近い方の記録層の記録状態の影響を少なからず受けるが、ＯＴＰ方式の媒体の場合、記録層によって試し書き領域の小領域を外周側から内周側に向けて順に選択するか、逆に、内周側から外周側に向けて順に選択するかが異なる点に着目し、照射光の入射側に近い記録層側の試し書き領域が照射光の入射側から遠い記録層側の試し書き領域よりも媒体外周側に位置するようにこれらの試し書き領域をシフトして配置させることにより、照射光の入射側から遠い方の記録層の試し書き領域の対象となる小領域へのアクセスを他方の記録層の影響を極力受けないようにすることができる。
【００３１】
請求項４記載の発明の光記録媒体によれば、スパイラル状のトラック上に試し書き領域を各々有する複数の記録層を持つ光記録媒体であって、スパイラル方向に関する情報がプリフォーマットされているので、例えば、記録対象となる記録層に対して、試し書き領域を複数回分に分割して設定された小領域単位で発光パワーを多段階に変化させて試し書きを行い、最適発光パワーの決定に供する試し書き処理に際して、記録対象となる記録層におけるトラックのスパイラル方向を認識するステップと、このスパイラル方向の認識の結果、トラックのスパイラル方向が媒体外周側から媒体内周側に向かう記録層を記録対象とする場合には、試し書き領域の小領域を媒体内周側から媒体外周側に向けて順に選択し、トラックのスパイラル方向が媒体内周側から媒体外周側に向かう記録層を記録対象とする場合には、試し書き領域の小領域を媒体外周側から媒体内周側に向けて順に選択し、小領域内でスパイラル方向に発光パワーを低から高へと変化させて試し書きを行わせるステップと、を有する試し書き処理制御方法への適用に好適な光記録媒体を提供することができる。
【００３２】
請求項５記載の発明によれば、請求項４記載の光記録媒体において、スパイラル方向に関する情報として、各記録層毎にスパイラル方向を記述した情報がプリフォーマットされているので、特に対象となる記録層毎にそのスパイラル方向を直接的に認識させることができ、例えば、記録対象となる記録層に対して、試し書き領域を複数回分に分割して設定された小領域単位で発光パワーを多段階に変化させて試し書きを行い、最適発光パワーの決定に供する試し書き処理に際して、記録対象となる記録層におけるトラックのスパイラル方向を認識するステップと、このスパイラル方向の認識の結果、トラックのスパイラル方向が媒体外周側から媒体内周側に向かう記録層を記録対象とする場合には、試し書き領域の小領域を媒体内周側から媒体外周側に向けて順に選択し、トラックのスパイラル方向が媒体内周側から媒体外周側に向かう記録層を記録対象とする場合には、試し書き領域の小領域を媒体外周側から媒体内周側に向けて順に選択し、小領域内でスパイラル方向に発光パワーを低から高へと変化させて試し書きを行わせるステップと、を有する試し書き処理制御方法への適用に好適な光記録媒体を提供することができる。
【００３３】
請求項６記載の発明によれば、請求項４記載の光記録媒体において、スパイラル方向に関する情報として、当該光記録媒体の種類に関する情報、及び、各記録層の層情報がプリフォーマットされているので、光記録媒体の種類に関する情報、及び、各記録層の層情報から対象となる記録層毎にそのスパイラル方向の認識が間接的となるが、特にこれらの情報としては既存の情報を利用できるので、例えば、記録対象となる記録層に対して、試し書き領域を複数回分に分割して設定された小領域単位で発光パワーを多段階に変化させて試し書きを行い、最適発光パワーの決定に供する試し書き処理に際して、記録対象となる記録層におけるトラックのスパイラル方向を認識するステップと、このスパイラル方向の認識の結果、トラックのスパイラル方向が媒体外周側から媒体内周側に向かう記録層を記録対象とする場合には、試し書き領域の小領域を媒体内周側から媒体外周側に向けて順に選択し、トラックのスパイラル方向が媒体内周側から媒体外周側に向かう記録層を記録対象とする場合には、試し書き領域の小領域を媒体外周側から媒体内周側に向けて順に選択し、小領域内でスパイラル方向に発光パワーを低から高へと変化させて試し書きを行わせるステップと、を有する試し書き処理制御方法への適用に好適な光記録媒体を提供することができる。
【００３４】
請求項７記載の発明によれば、請求項６記載の光記録媒体において、当該光記録媒体の種類に関する情報が、パラレルトラックパス（ＰＴＰ）方式の媒体であるか、オポジットトラックパス（ＯＴＰ）方式の媒体であるかに関する情報であるので、ＰＴＰ方式の媒体であれば何れの記録層であってもそのスパイラル方向は常に内周側から外周側であることを認識でき、ＯＴＰ方式の媒体であれば記録層によってそのスパイラル方向が異なるので、対象となる記録層の層情報を取得することにより、そのスパイラル方向を認識することができる。
【００３５】
請求項８記載の発明によれば、請求項４ないし７の何れか一記載の光記録媒体において、スパイラル方向に関する情報が、リードイン領域中にプリフォーマットされているので、光記録媒体に対する記録動作において当該光記録媒体固有の情報を取得するためにアクセスするリードイン領域中にスパイラル方向に関する情報も記録されているので、記録動作に先立ち、スパイラル方向に関する情報を取得する上で好都合となる。
【発明を実施するための最良の形態】
【００３６】
本発明の一実施の形態を図面に基づいて説明する。本実施の形態では、ＤＶＤ−ＲＯＭフォーマットのコードデータを、片面２層の記録層を有する色素系メディアに記録（追記）する光情報記録装置としての光情報記録再生装置への適用例を示し、記録変調方式として８−１６変調コード（ＥＦＭ変調コード）を用いてマークエッジ（ＰＷＭ：Pulse Width Modulation）記録を行うものとする。本実施の形態ではこのようなメディアと記録データを用いて、記録に際して半導体レーザをマルチパルス発光させて記録マーク／スペースを形成することにより情報の記録を行うものである。
【００３７】
図１にこのような記録再生可能な光情報記録再生装置の基本的な全体構成例を示し、図２にそのシステム制御装置の内部構成例を示す。
【００３８】
本実施の形態の光情報記録再生装置１においては、スピンドルモータ（図示せず）により回転駆動される例えば、片面２層ＤＶＤ＋Ｒによる光記録媒体２に対して再生動作又は記録動作のために照射するレーザ光を発する光源としての半導体レーザ（ＬＤ）３が設けられている。この半導体レーザ３から発せられたレーザ光はコリメータレンズ４により平行光束に変換された後、偏光ビームスプリッタ５及び対物レンズ６を経て光記録媒体２上の対象となる記録層に集光照射される。光記録媒体２から反射された戻り光は再び対物レンズ６を経て再び偏光ビームスプリッタ５に入射することにより、入射光と分離されるように反射されて、検出レンズ７により受光領域が４分割された分割受光素子（ＰＤ）８に入射して受光される。この分割受光素子８により受光された各分割領域の受光信号は情報信号となるＲＦ信号、フォーカシング用のサーボ信号Ｆｏ及びトラッキング用のサーボ信号Ｔｒの基となるもので、ＩＶアンプ９により電流電圧変換／増幅されたＲＦ信号はシステム制御装置１０に入力されて再生信号としての再生データの出力に供される。
【００３９】
一方、フォーカシング用のサーボ信号Ｆｏ及びトラッキング用のサーボ信号Ｔｒは、Ｆｏ／Ｔｒサーボ制御装置（図示せず）に入力されて対物レンズ６に対するフォーカシング／トラッキング用のアクチュエータ（図示せず）のサーボ制御に供され、光記録媒体２に対するレーザ光が合焦状態で正しくトラック上をトラッキングするように制御される。
【００４０】
また、半導体レーザ３から出射光の一部をミラー１１、検出レンズ１２を介して受光するモニタ素子１３が設けられている。このモニタ素子１３により検出される半導体レーザ３の発光パワーに比例したモニタ電流がＩＶアンプ１４により電流電圧変換／増幅されたパワーモニタ信号はシステム制御装置１０に入力されてＡＰＣ制御等に供される。
【００４１】
このような基本構成において、情報の再生時は、光源制御手段としてのＬＤ駆動装置１５により半導体レーザ３を駆動して再生パワー（リードパワー）Ｐｒで発光させ、半導体レーザ３からの再生パワーの光を光ピックアップ光学系を介して光記録媒体２の対象となる記録層に照射し、その反射光を光ピックアップ光学系を介して受光素子８で受光して光電変換し、ＩＶアンプ９で電流電圧変換／増幅して再生信号（ＲＦ信号）を得る。
【００４２】
さらに、半導体レーザ３からの出射光の一部がモニタ素子１３に入射され、発光パワーに比例したモニタ電流がＩＶアンプ１４により電流電圧変換／増幅されたパワーモニタ信号を利用することで、ＡＰＣ制御を行うことができる。
【００４３】
一方、記録動作について説明する。通常、ＤＶＤ＋Ｒのような色素系メディアに情報の記録を行う場合は、ピークレベル、スペースレベル対応のピークパワーＰｗ、バイアスパワーＰｂの２種類のパワーが必要となる。
【００４４】
情報の記録時には、ホストコントローラ２１による制御の下に、データエンコーダ２２及びＬＤ波形制御回路２３により８−１６変調コードからなる記録データに基づいたパルス制御信号を生成し、ＬＤ駆動装置１５でそのパルス制御信号に応じた駆動電流により、半導体レーザ３を駆動して所定のマルチパルス波形で発光させ、光記録媒体２の対象となる記録層に照射することで、光記録媒体２に記録マークを形成して情報の記録を行う。
【００４５】
ホストコントローラ２１は、スペース／ピークパワーの発光レベルを制御するため、バイアスレベル電流駆動信号、ピークレベル電流重畳信号をＬＤ駆動装置１５に対して出力する。
【００４６】
ＩＶアンプ１４から得られるパワーモニタ信号は、ロングスペースデータ出力時（例えば、１０Ｔ以上のスペースデータ）にホストコントローラ２１より出力されるパワーサンプルタイミング信号がＨ→Ｌのタイミングでサンプル／ホールド回路２４によりサンプル／ホールドされ、スペースレベルのパワー制御が行われる。
【００４７】
ピークレベルのパワーは、スペースレベル駆動電流（バイアスレベル電流駆動信号）に、半導体レーザ３の微分効率ηから算出されるピークレベル電流重畳信号を重畳して半導体レーザ３に駆動電流を供給する。
【００４８】
なお、前述のＩＶアンプ９からのＲＦ信号はデータデコーダ２５を介してホストコントローラ２１に入力されるとともに、ピーク／ボトム検出回路２６を介してそのピークレベル／ボトムレベルの検出信号が取り込み可能とされている。
【００４９】
［ＯＰＣ処理制御方法］
次に、本来の記録動作に先立ち、記録パワーのレベルを最適化するために行われるＯＰＣ動作（試し書き処理）について図３を参照して説明する。この例は、説明を簡単にするため、単層構造例として、光記録媒体２の最内周側位置にＰＣＡ（パワーキャリブレーションエリア）領域と称される試し書き領域３１を有する場合の例である。３２はデータ領域、３３はディスク中心穴を示している。試し書き領域３１は、テストエリア３４とカウントエリア３５とにより構成されている。テストエリア３４は１００個の１〜１００のパーティション（小領域）に分割設定されて構成され、各々のパーティションは１５個のフレーム３６により構成されている。このような試し書き領域３１に対する一般的なＯＰＣ動作では、１回のＯＰＣ動作でパーティションの１つを使用し、その中で図示の如く、記録パワーを多段階に変化させて試し書きを行い、各々のフレーム３６内の試し書きされたテスト信号を再生し、この再生信号（ＲＦ信号）に基づき最適記録パワーを決定する。
【００５０】
また、このようなＯＰＣ動作において、ＯＰＣ動作を行う毎に、カウントエリア３５にその回数に相当する部分が順次更新記録され、試し書き直後に再生すべきパーティション及び次回の試し書き時に次回試し書きに使用するパーティションがこのカウントエリア３５に記録された回数を参照することにより特定される。
【００５１】
そして、本実施の形態のＯＰＣ処理制御方法の基本としては、例えば、記録層のトラックのスパイラル方向が内周側から外周側に向かう場合には、図３に示すように、試し書き領域３１のパーティションを外周側から内周側に向けて順に使用する（即ち、パーティションＮｏ．１，２，…の順に使用する）が、記録層のトラックのスパイラル方向が外周側から内周側に向かう場合には、図４に示すように、試し書き領域３１のパーティションを内周側から外周側に向けて順に使用する（即ち、パーティションＮｏ．１００，９９，…の順に使用する）ように、そのパーティションの仕様態様を変更するようにしたものである。
【００５２】
ちなみに、何れの方向であっても、各パーティション内での実際の試し書きはスパイラル方向に実行される（従って、パーティションの使用順序の方向とは逆となる）。また、試し書き領域３１が内周側に位置する例で説明したが、外周側等、他の箇所に試し書き領域が配置されている場合でも同様に適用される原理である。
【００５３】
図５は図４に示した処理方式を書き直して簡略化して示す模式図であり、当該記録層のトラックのスパイラル方向が媒体外周側から媒体内周側に向かっている場合には、試し書き領域３１のパーティションをその方向とは逆方向となる媒体外周側から媒体内周側に向けて使用する方法を示しており、内周側に使用済み領域（試し書き済み領域）が順次広がる状態で存在し、外周側に未使用領域が順次狭まる状態で存在することになる。
【００５４】
このようなＯＰＣ処理制御方法によれば、試し書きを行った場合の試し書き領域３１の使用状態、ＲＦ信号の状態は図５（ｂ）（ｃ）に示すようになり、次回、試し書きを行う場合には、図５（ｄ）に示すように最初にシーク完了ポイントにシーク動作を行い、対象となるパーティション（ターゲット）によるライト位置までのターゲット待ちを行うこととなる。この場合、図１２により前述した場合と異なり、このようなシーク中やシーク完了後のターゲット待ちの間に以前にＯＰＣ動作により試し書きを行なった場所（使用済み領域）上にアクセスする必要がなく、サーボやアドレスリードを安定して行なうことができる。従って、シーク動作を安定して行わせることができ、その結果、ＯＰＣ処理を安定して行うことができる。
【００５５】
また、図６は図３に示した処理方式を書き直して簡略化して示す模式図であり、当該記録層のトラックのスパイラル方向が媒体外周側から媒体内周側に向かっている場合には、試し書き領域３１のパーティションをその方向とは逆方向となる媒体内周側から媒体外周側に向けて使用する方法を示しており、外周側に使用済み領域（試し書き済み領域）が順次広がる状態で存在し、内周側に未使用領域が順次狭まる状態で存在することになる。
【００５６】
このようなＯＰＣ処理制御方法によれば、試し書きを行った場合の試し書き領域３１の使用状態、ＲＦ信号の状態は図６（ｂ）（ｃ）に示すようになり、次回、試し書きを行う場合には、図６（ｄ）に示すように、最初にシーク完了ポイントにシーク動作を行い、対象となるパーティション（ターゲット）によるライト位置までのターゲット待ちを行うこととなる。この場合も、このようなシーク中やシーク完了後のターゲット待ちの間に以前にＯＰＣ動作により試し書きを行なった場所（使用済み領域）上にアクセスする必要がなく、サーボやアドレスリードを安定して行なうことができる。従って、シーク動作を安定して行わせることができ、その結果、ＯＰＣ処理を安定して行うことができる。
【００５７】
このような原理に基づき、光記録媒体２として、片面２層の記録層を有する色素系メディア（２層ＤＶＤ−Ｒ）（或いは相変化型メディア（２層ＤＶＤ＋ＲＷ））の場合について説明する。このような多層構造の光記録媒体２の場合、各々の記録層毎に試し書き領域を有するが、まず、図１０（ａ），図１１（ａ）に示すようなＤＶＤ−ＲＯＭフォーマットに準拠するＰＴＰ方式の光記録媒体２の場合であれば、何れの記録層（レイヤー０，レイヤー１）もそのトラックのスパイラル方向が媒体内周側から媒体外周側に向かっているので、何れの記録層（レイヤー０，レイヤー１）の試し書き領域に対してＯＰＣ動作を行う場合も、その領域内のパーティションを図３や図６で説明した場合のように外周側から内周側に向けて使用することにより、最新のＯＰＣ動作を行う上で、以前のＯＰＣ動作により使用済みの領域にアクセスすることなくＯＰＣ処理を行えることとなる。
【００５８】
一方、図１０（ｂ），図１１（ｂ）に示すようなＤＶＤ−ＲＯＭフォーマットに準拠するＯＴＰ方式の光記録媒体２の場合であれば、記録層（レイヤー０，レイヤー１）によってそのトラックのスパイラル方向が異なるので、対象となる記録層（レイヤー０，レイヤー１）の試し書き領域に対してＯＰＣ動作を行う場合には、その記録層のトラックのスパイラル方向に応じてその領域内のパーティションの使用方向を変更する。即ち、第1の記録層（レイヤー０）の試し書き領域
に対して試し書きを行う場合であれば、当該第1の記録層（レイヤー０）のトラックのスパイラル方向は媒体内周側から媒体外周側に向かっているので、当該第１の記録層（レイヤー０）の試し書き領域に対してＯＰＣ動作を行う場合には、その領域内のパーティションを図３や図６で説明した場合のように外周側から内周側に向けて使用する。また、第２の記録層（レイヤー１）の試し書き領域に対して試し書きを行う場合であれば、当該第２の記録層（レイヤー１）のトラックのスパイラル方向は媒体外周側から媒体内周側に向かっているので、当該第２の記録層（レイヤー１）の試し書き領域に対してＯＰＣ動作を行う場合には、その領域内のパーティションを図４や図５で説明した場合のように内周側から外周側に向けて使用する。このようなＯＰＣ処理制御により、何れの記録層（レイヤー０，レイヤー１）でも、最新のＯＰＣ動作を行う上で、以前のＯＰＣ動作により使用済みの領域にアクセスすることなくＯＰＣ処理を行えることとなる。
【００５９】
このような原理は、２層メディアの場合に限らず、３層以上の多層構造の光記録媒体の場合にも同様に適用することができる。
【００６０】
ところで、ＰＴＰ方式の２層構造メディアの場合、各々の記録層に試し書き領域が設けられるわけであるが、上述したようなＯＰＣ処理制御を考慮した場合には、各記録層の試し書き領域３１を図７（ａ）に示すように、照射光の入射側に近い記録層（レイヤー０）側の試し書き領域３１ａが照射光の入射側から遠い記録層（レイヤー１）側の試し書き領域３１ｂよりも当該光記録媒体１において内周側に位置するようにこれらの試し書き領域３１ａ，３１ｂをシフトさせて配置することが好ましい（図中、これらの試し書き領域の斜線部分は使用済、白部分は未使用部分である…図６の場合と同様）。
【００６１】
即ち、この種の多層構造の光記録媒体２の場合、複数の記録層が重なっているため、第２の記録層（レイヤー１）は第1の記録層（レイヤー０）の記録状態の影響を少なからず受けるが、ＰＴＰ方式の媒体の場合、各々の記録層の試し書き領域３１ａ，３１ｂのパーティションを外周側から内周側に向けて順に使用するので、第1の記録層（レイヤー０）側の試し書き領域３１ａが第２の記録層（レイヤー０１側の試し書き領域３１ｂよりも媒体内周側に位置するようにこれらの試し書き領域３１ａ，３１ｂをシフトさせて配置させることにより、第２の記録層（レイヤー１）の試し書き領域３１ｂの対象となるパーティションへのアクセスを第1の記録層（レイヤー０）の影響を極力受けないようにすることができる。
【００６２】
このような事情は、ＯＴＰ方式の場合であっても同様である。即ち、ＯＴＰ方式の２層構造メディアの場合、各々の記録層に試し書き領域が設けられるわけであるが、上述したようなＯＰＣ処理制御を考慮した場合には、各記録層の試し書き領域３１を図７（ｂ）に示すように、照射光の入射側に近い記録層（レイヤー０）側の試し書き領域３１ａが照射光の入射側から遠い記録層（レイヤー１）側の試し書き領域３１ｂよりも当該光記録媒体１において外周側に位置するようにこれらの試し書き領域３１ａ，３１ｂをシフトさせて配置することが好ましい（図中、これらの試し書き領域の斜線部分は使用済、白部分は未使用部分である…図５，図６の場合と同様）。
【００６３】
即ち、この種の多層構造の光記録媒体２の場合、複数の記録層が重なっているため、第２の記録層（レイヤー１）は第1の記録層（レイヤー０）の記録状態の影響を少なからず受けるが、ＯＴＰ方式の媒体の場合、各々の記録層の試し書き領域３１ａ，３１ｂのパーティションを異なる方向に向けて順に使用するので、第1の記録層（レイヤー０）側の試し書き領域３１ａが第２の記録層（レイヤー０１側の試し書き領域３１ｂよりも媒体外周側に位置するようにこれらの試し書き領域３１ａ，３１ｂをシフトさせて配置させることにより、第２の記録層（レイヤー１）の試し書き領域３１ｂの対象となるパーティションへのアクセスを第1の記録層（レイヤー０）の影響を極力受けないようにすることができる。
【００６４】
［スパイラル方向の認識］
上述したようなＯＰＣ処理制御方法を実現する上では、対象となる記録層のトラックのスパイラル方向とは逆方向となるように試し書き領域のパーティションの使用順序を決定するので、ＯＰＣ動作を行おうとする記録層のトラックのスパイラル方向を知る必要がある。
【００６５】
このためには、光記録媒体２にスパイラル方向に関する情報を予めプリフォーマットしておき、記録動作に先立ち、このプリフォーマットされたスパイラル方向に関する情報を読み出して、対象となる記録層のトラックのスパイラル方向を認識するようにすればよい。
【００６６】
この場合、光記録媒体２の各記録層毎にそのトラックのスパイラル方向を記述した直接的な情報をプリフォーマットさせておけば、確実にスパイラル方向を認識することができる。具体的には、図１０等に示すようなＤＶＤ−ＲＯＭフォーマットに準拠したＤＶＤ＋ＲＷ等にあっては、リードイン領域（Lead-in Area）中にはトラック（案内溝）のウォブル変調によりアドレス情報を埋め込むことによるアドレス情報であるＡＤＩＰ（Adress In Pre-groove）により、当該光記録媒体２の物理情報がプリフォーマットとして書き込まれているので、この物理情報の１つとして当該記録層のトラックのスパイラル方向の情報を書き込んでおくように拡張すればよい。
【００６７】
また、プリフォーマットされるスパイラル方向に関する情報としては、このような直接的な情報に限らず、要は、ＯＰＣ処理を行う記録層と対象となるメディアの種類とが判ればよく、間接的な情報であってもよい。例えば、２層ＤＶＤ−ＲＯＭメディアに準ずる規格のメディアの場合であれば、リードイン領域に層数やトラックパス方式（ＯＴＰ方式、ＰＴＰ方式）に関する情報が記録されているので、これらの情報を読取って利用することでメディアの種類を判別することができる。また、また、データエリア中にもＩＤ情報に記録層の層情報（当該記録層がレイヤー０であるかレイヤー１であるか)が含まれており、また、ＯＴＰ方式の場合、レイヤー１のアドレス表示はレイヤー０の補数表示となっている。よって、これらの情報に基づきスパイラル方向に関する情報を知ることができる。つまり、ＯＴＰ方式のメディアでレイヤー１の場合であれば、スパイラル方向は外周側から内周側に向かっており、同様に、レイヤー０の場合であれば、スパイラル方向は内周側から外周側に向かっていることを認識できる。また、ＰＴＰ方式のメディアであれば何れの記録層（レイヤー０，１）の場合であっても、スパイラル方向は内周側から外周側に向かっていることになる。また、アドレスの補数表示によれば、ＯＴＰ方式の光記録媒体において、そのアドレス情報から対象となる記録層が第1の記録層（レイヤー０）であるか第２の記録層（レイヤー１）であるかを知ることができ、その記録層判定によりスパイラル方向を認識するができる。つまり、ＡＤＩＰアドレスを補数にしておくことにより簡単にスパイラル方向を認識することもできる。
【００６８】
ところで、前述したようなＯＰＣ処理制御方法のうち、例えば、各記録層毎にリードイン領域にその記録層のスパイラル方向を記述した情報がプリフォーマットされている２層型の光記録媒体２（ＰＴＰ方式でもＯＴＰ方式でもよい）を対象として、図３や図４に示したＯＰＣ処理制御を伴い記録動作を行う場合に、ＣＰＵ１３により実行される処理制御例を図８に示す概略フローチャートを参照して説明する。
【００６９】
この処理制御は、例えば、ホストを通じてユーザからユーザデータの記録要求があった場合（ステップＳ１のＹ）の一つの処理として実行される。このような要求があった場合、まず、記録対象となる記録層のリードイン領域中にプリフォーマットされている当該記録層のスパイラル方向の情報を読み出す（Ｓ２）。このステップＳ２の処理が、スパイラル情報読出手段又はスパイラル情報読出機能として実行される。この処理により読み出された情報によって当該記録層のスパイラル方向を認識する（Ｓ３）。この場合は直接的な情報であるので、ステップＳ２により得られた情報に基づきそのままスパイラル方向が認識される。このステップＳ３の処理が、方向認識手段又は方向認識機能として実行される。
【００７０】
このような初期的な処理に続いて、ＯＰＣモードに設定して、当該記録層における試し書き領域３１中のカウントエリア３５にアクセスしてＯＰＣ回数Ｎを読み出す（Ｓ４）。そして、ステップＳ３における認識結果として、当該記録層のトラックのスパイラル方向が正方向（内周側から外周側に向かう方向）であれば（Ｓ５のＹ）、今回試し書きを行おうとするパーティション（ターゲット）を（Ｎ＋１）に決定する（Ｓ６）。即ち、正方向に対して試し書き領域３１のパーティションを逆方向（外周側から内周側に向かう方向）に順に使用する態様に決定される。一方、ステップＳ３における認識結果として、当該記録層のトラックのスパイラル方向が逆方向であれば（Ｓ５のＮ）、今回試し書きを行おうとするパーティション（ターゲット）を｛１００−（Ｎ＋１）｝に決定する（Ｓ７）。即ち、逆方向に対して試し書き領域３１のパーティションを正方向に順に使用する態様に決定される。これらのステップＳ６又はＳ７の処理が、試し書き態様決定手段又は試し書き態様決定機能として実行される。
【００７１】
その後、ステップＳ６の場合であれば、ターゲットに決定された試し書き領域３１中のテストエリア３４のパーティション（Ｎ＋１）に対して試し書きを行うべく、光ピックアップをトラックに沿って内周側からシーク完了ポイントに向けてシーク移動させてターゲット待ちを経て当該パーティション（Ｎ＋１）にアクセスする（Ｓ８）。そして、１５個のフレームに従い半導体レーザ３の発光パワーをＬＤ駆動装置１５により多段階に変化させながら当該パーティション（Ｎ＋１）に対してＯＰＣ動作（試し書き動作）を行わせる（Ｓ９，Ｓ１０）。このステップＳ９，Ｓ１０の処理が試し書き手段又は試し書き処理として実行される。当該当該パーティション（Ｎ＋１）に対するＯＰＣ動作が終了すると（Ｓ１０のＹ）、再び、この当該パーティション（Ｎ＋１）にアクセスして試し書きされた情報を再生し、ＲＦ信号を取得する（Ｓ１１）。
【００７２】
また、ステップＳ７の場合であれば、ターゲットに決定された試し書き領域３１中のテストエリア３４のパーティション｛１００−（Ｎ＋１）｝に対して試し書きを行うべく、光ピックアップをトラックに沿って外側側からシーク完了ポイントに向けてシーク移動させてターゲット待ちを経て当該パーティション｛１００−（Ｎ＋１）｝にアクセスする（Ｓ１２）。そして、１５個のフレームに従い半導体レーザ３の発光パワーをＬＤ駆動装置１５により多段階に変化させながら当該パーティション｛１００−（Ｎ＋１）｝に対してＯＰＣ動作（試し書き動作）を行わせる（Ｓ１３，Ｓ１４）。このステップＳ１３，Ｓ１４の処理が試し書き手段又は試し書き処理として実行される。当該当該パーティション｛１００−（Ｎ＋１）｝（Ｎ＋１）に対するＯＰＣ動作が終了すると（Ｓ１４のＹ）、再び、この当該パーティション｛１００−（Ｎ＋１）｝にアクセスして試し書きされた情報を再生し、ＲＦ信号を取得する（Ｓ１５）。
【００７３】
このようにステップＳ１１又はＳ１５で再生されたＲＦ信号に基づき周知の処理を経て記録時に用いる半導体レーザ３の最適記録パワーを決定する（Ｓ１６）。これらのステップＳ１１又はＳ１５、及び、Ｓ１６の処理が最適パワー決定手段又は最適パワー決定機能として実行される。そして、カウントエリアのＯＰＣ回数を（Ｎ＋１）に更新する（Ｓ１７）。
【００７４】
これにより、一連のＯＰＣ処理を終了し、対象となる記録層におけるデータ領域中のターゲットアドレスで最適記録パワーにて半導体レーザ３を発光させながらユーザデータの記録動作を行う（Ｓ１８）。このステップＳ１８の処理が記録動作実行手段又は記録動作実行機能として実行される。
【００７５】
また、前述したようなＯＰＣ処理制御方法のうち、別の例として、例えば、各記録層毎に例えばそのリードイン領域にメディア種類（ＰＴＰ方式又はＯＴＰ方式）に関する情報と各記録層の層情報（レイヤー０又はレイヤー１）がプリフォーマットされている２層型の光記録媒体２（ＰＴＰ方式でもＯＴＰ方式でもよい）を対象として、図３や図４に示したＯＰＣ処理制御を伴い記録動作を行う場合に、ＣＰＵ１３により実行される処理制御例を図９に示す概略フローチャートを参照して説明する。
【００７６】
この処理制御は、例えば、ホストを通じてユーザからユーザデータの記録要求があった場合（ステップＳ２１のＹ）の一つの処理として実行される。このような要求があった場合、まず、記録対象となる記録層のリードイン領域中にプリフォーマットされている情報を読み出す（Ｓ２２）。即ち、当該媒体の種類と当該記録層の層情報である。このステップＳ２２の処理が、スパイラル情報読出手段又はスパイラル情報読出機能として実行される。このステップＳ２２により読み出された情報に基づき当該媒体の種類がＰＴＰ方式であるかＯＴＰ方式であるかを認識する（Ｓ２３）。
【００７７】
そして、ＯＰＣモードに設定して、当該記録層における試し書き領域３１中のカウントエリア３５にアクセスしてＯＰＣ回数Ｎを読み出す（Ｓ２４）。そして、ステップＳ２３における認識結果として、当該媒体がＰＴＰ方式のものであれば（Ｓ２５のＹ）、記録層がレイヤー０であってもレイヤー１であっても、今回試し書きを行おうとするパーティション（ターゲット）を（Ｎ＋１）に決定する（Ｓ２６）。また、ステップＳ２３における認識結果として、当該媒体がＯＴＰ方式のものであって（Ｓ２５のＮ）、かつ、その記録層がレイヤー０の場合も（Ｓ２７のＹ）、今回試し書きを行おうとするパーティション（ターゲット）を（Ｎ＋１）に決定する（Ｓ２６）。即ち、試し書き領域３１のパーティションを逆方向（外周側から内周側に向かう方向）に順に使用する態様に決定される。
【００７８】
一方、ステップＳ２３における認識結果として、当該媒体がＯＴＰ方式のものであって（Ｓ２５のＮ）、かつ、その記録層がレイヤー１の場合には（Ｓ２７のＮ）、今回試し書きを行おうとするパーティション（ターゲット）を｛１００−（Ｎ＋１）｝に決定する（Ｓ２８）。即ち、試し書き領域３１のパーティションを正方向（内周側から外周側に向かう方向）に順に使用する態様に決定される。
【００７９】
ここに、ステップＳ２３，Ｓ２５の処理が方向認識手段又は方向認識機能として実行され、ステップＳ２６又はＳ２８の処理が、試し書き態様決定手段又は試し書き態様決定機能として実行される。
【００８０】
この後は、各々の態様に応じて図８で説明した場合と同様に処理される。
【図面の簡単な説明】
【００８１】
【図１】本発明の一実施の形態の光情報記録再生装置の基本的な全体構成例を示すブロック構成図である。
【図２】そのシステム制御装置の内部構成例を示すブロック構成図である。
【図３】ＯＰＣ動作の処理例を示す説明図である。
【図４】スパイラル方向が逆の場合のＯＰＣ動作の処理例を示す説明図である。
【図５】図４の処理例を書換えて示す概略説明図である。
【図６】図３の処理例を書換えて示す概略説明図である。
【図７】試し書き領域をシフト配置させて例を示す概略断面図である。
【図８】ＯＰＣ処理制御を含む記録動作制御例の一例を示す概略フローチャートである。
【図９】ＯＰＣ処理制御を含む記録動作制御例の他例を示す概略フローチャートである。
【図１０】ＰＴＰディスク及びＯＴＰディスクの物理アドレスのレイアウトを示す模式図である。
【図１１】そのスパイラル方向を示す模式図である。
【図１２】ＯＴＰ方式のレイヤー１のような記録層に対する従来のＯＰＣ動作例を示す説明図である。
【符号の説明】
【００８２】
２      光記録媒体
【図１】
2004327038.tif 000003
【図２】
2004327038.tif 000004
【図３】
2004327038.tif 000005
【図４】
2004327038.tif 000006
【図５】
2004327038.tif 000007
【図６】
2004327038.tif 000008
【図７】
2004327038.tif 000009
【図８】
2004327038.tif 000010
【図９】
2004327038.tif 000011
【図１０】
2004327038.tif 000012
【図１１】
2004327038.tif 000013
【図１２】
2004327038.tif 000014